(57)【要約】  水素含有ガス供給システムは、建物内の１以上のエリアに水素含有ガスを供給する１以上の水素含有ガス供給器と、１以上のエリアに人が存在することを示す情報を取得する１以上の取得器と、取得器で取得された情報から１以上のエリアのうちの所定のエリアに人が存在すると判断されるときに、所定のエリアに水素含有ガスを供給する水素含有ガス供給器から所定のエリアに水素含有ガスを供給させる制御器と、を備える。
2019064893.tif 000002
【特許請求の範囲】
【請求項１】
建物内の１以上のエリアに水素含有ガスを供給する１以上の水素含有ガス供給器と、
前記１以上のエリアに人が存在することを示す情報を取得する１以上の取得器と、
前記取得器で取得された前記情報から前記１以上のエリアのうちの所定のエリアに人が存在すると判断されるときに、前記所定のエリアに水素含有ガスを供給する水素含有ガス供給器から前記所定のエリアに水素含有ガスを供給させる制御器と、
を備える水素含有ガス供給システム。
【請求項２】
前記取得器は前記エリアに設けられている請求項１に記載の水素含有ガス供給システム。
【請求項３】
前記制御器は、
前記取得器が、情報端末より取得した前記情報から前記所定のエリアに人が存在すると判断されるときに、前記水素含有ガス供給器から前記所定のエリアに水素含有ガスを供給させる請求項１に記載の水素含有ガス供給システム。
【請求項４】
前記１以上の水素含有ガス供給器が、複数のエリアのそれぞれに水素含有ガスを供給する複数の水素含有ガス供給器であり、
前記１以上の取得器が、前記複数のエリアのそれぞれに設けられた複数の取得器であり、
前記制御器は、
前記複数の取得器のうちの所定の取得器が、前記所定のエリアに人が存在することを示す情報を取得すると、前記所定の取得器で取得された前記情報から前記所定のエリアに人が存在すると判断されるときに、前記所定のエリアに水素含有ガスを供給する水素含有ガス供給器から前記所定のエリアに水素含有ガスを供給させる請求項１または２に記載の水素含有ガス供給システム。
【請求項５】
前記取得器は、前記所定のエリアに人が存在することを検知する第１検知器であり、
前記制御器は、前記第１検知器で前記所定のエリアに人が存在することを検知すると、
前記水素含有ガス供給器を動作させる請求項１または４に記載の水素含有ガス供給システム。
【請求項６】
前記取得器が、前記所定のエリア内において人が存在する位置を示す情報を検知する第２検知器であり、
前記制御器は、前記第２検知器で人が存在する位置を示す情報を検知すると、前記水素含有ガス供給器から前記位置に向けて水素含有ガスを供給させる請求項１または４に記載の水素含有ガス供給システム。
【請求項７】
前記取得器は、前記所定のエリア内に人が存在する位置を検知する第２検知器であり、
前記制御器は、
前記第２検知器で検知された人が存在する位置に応じて、前記水素含有ガス供給器から供給する水素含有ガスの供給流量および供給流速の少なくともいずれか一方を制御する請求項１または４に記載の水素含有ガス供給システム。
【請求項８】
前記取得器は、前記所定のエリア内において存在する人の生体情報を更に取得し、
前記制御器は、
前記取得器で取得された人の生体情報に基づき、前記水素含有ガス供給器から供給する前記水素含有ガスの供給流量および供給流速の少なくともいずれか一方を制御する請求項１−７のいずれか１項に記載の水素含有ガス供給システム。
【請求項９】
前記水素含有ガスを生成する水素含有ガス生成器を備え、
前記取得器は、前記所定のエリア内において存在する人の生体情報を更に取得し、
前記制御器は、
前記取得器で取得された人の生体情報に基づき、前記水素含有ガス生成器で生成される前記水素含有ガスの水素濃度を制御する請求項１−７のいずれか１項に記載の水素含有ガス供給システム。
【請求項１０】
空気中の不純物を除去するフィルターと、
水素と前記フィルターを通過した空気を混合させて前記水素含有ガスを生成する水素含有ガス生成器と、を備える請求項１−８のいずれか１項に記載の水素含有ガス供給システム。
【請求項１１】
水素含有ガスに付臭する付臭器を備え、
前記水素含有ガス供給器は、前記付臭器を通過した水素含有ガスを前記所定のエリアに供給する請求項１−１０のいずれか１項に記載の水素含有ガス供給システム。
【請求項１２】
請求項１−１１のいずれか１項に記載の水素含有ガス供給システムを備える水素ハウス。
【発明の詳細な説明】
【技術分野】
【０００１】
本開示は、水素含有ガス供給システムおよび水素ハウスに関する。
【背景技術】
【０００２】
近年、体内の活性酸素およびフリーラジカルに対する水素による還元作用が注目されている。例えば、医療機関において、水素を含む水の飲用または注射、水素を含むガスの吸引によって活性酸素およびフリーラジカルを還元させることで、疾病の治癒、病理症状改善のための処置が検討されている。【０００３】
また、体内の活性酸素およびフリーラジカルに対する水素による還元作用が手軽に得られるための家庭向けの機器の開発が進められている。【０００４】
例えば、カートリッジに貯められた水素ガスを、吸引パイプを用いて吸引できる装置が提案されている（例えば、特許文献１参照）。【０００５】
また、水素の体内への取り込み量を増加させるため、水素ガス発生装置で発生させた水素ガスが、ベッドの寝台に形成された複数の穴から吹き出すように構成された健康ベッド装置が提案されている（例えば、特許文献２参照）。
【先行技術文献】
【特許文献】
【０００６】
【特許文献１】特開２０１７−２３６６４号公報
【特許文献２】特開２０１７−８６８３９号公報
【発明の概要】
【０００７】
しかし、従来例は、吸引パイプなどの吸引器具を用いずに、水素の使用量の増加を抑制する点については十分に検討されていない。
【０００８】
本開示の一態様（aspect）は、このような事情に鑑みてなされたものであり、従来に比べ、水素の使用量の増加を抑制しながら水素の吸引効果を長期に亘り安定的に付与し得る水素含有ガス供給システムを提供する。また、本開示の一態様は、このような水素含有ガス供給システムを備える水素ハウスを提供する。
【０００９】
上記課題を解決するため、本開示の一態様の水素含有ガス供給システムは、建物内の１以上のエリアに水素含有ガスを供給する１以上の水素含有ガス供給器と、前記１以上のエリアに人が存在することを示す情報を取得する１以上の取得器と、前記取得器で取得された前記情報から前記１以上のエリアのうちの所定のエリアに人が存在すると判断されるときに、前記所定のエリアに水素含有ガスを供給する水素含有ガス供給器から前記所定のエリアに水素含有ガスを供給させる制御器と、を備える。
【００１０】
また、本開示の一態様の水素ハウスは、上記の水素含有ガス供給システムを備える。
【００１１】
本開示の一態様の水素含有ガス供給システムおよび水素ハウスは、従来に比べ、水素の使用量の増加を抑制しながら水素の吸引効果を長期に亘り安定的に付与し得るという効果を奏する。
【図面の簡単な説明】
【００１２】
【図１】図１は、第１実施形態の水素含有ガス供給システムの一例を示す図である。
【図２】図２は、第１実施形態の水素含有ガス供給システムの一例を示す図である。
【図３】図３は、第１実施形態の水素ハウスの一例を示す図である。
【図４】図４は、第１実施形態の水素含有ガス供給システムの動作の一例を示すフローチャートである。
【図５】図５は、第１実施形態の実施例の水素含有ガス供給システムの一例を示す図である。
【図６】図６は、第１実施形態の実施例の水素含有ガス供給システムの動作の一例を示すフローチャートである。
【図７】図７は、第２実施形態の水素含有ガス供給システムの一例を示す図である。
【図８】図８は、第２実施形態の水素含有ガス供給システムの動作の一例を示すフローチャートである。
【図９】図９は、第３実施形態の水素含有ガス供給システムの一例を示す図である。
【図１０】図１０は、第３実施形態の水素含有ガス供給システムの動作の一例を示すフローチャートである。
【図１１】図１１は、第４実施形態の水素含有ガス供給システムの一例を示す図である。
【図１２】図１２は、第５実施形態の水素含有ガス供給システムの一例を示す図である。
【発明を実施するための形態】
【００１３】
上記のとおり、水素を体内に取り入れるには、水素が溶存した液体を飲用する方法、水素を含むガスを吸引する方法がある。
【００１４】
ここで、後者の水素を含むガスを吸引する方法は、吸引した水素を肺で直接血液に溶解させることができるので、血流により水素を体内全域に効果的に行き渡らせ得る。しかし、この場合、呼吸量に合わせて水素を多量に供給する必要があることから、水素の使用量の増加が懸念される。
【００１５】
そこで、例えば、特許文献１の如く、吸引パイプを用いて水素を吸引する方法により、水素の使用量を減量することは可能である。しかし、特許文献１の水素吸引方法は、吸引パイプなどの吸引器具が必要であり、長期に亘り安定的に、人に水素を吸引させるには、未だ改善の余地がある。
【００１６】
よって、本開示の第１態様の水素含有ガス供給システムは、建物内の１以上のエリアに水素含有ガスを供給する１以上の水素含有ガス供給器と、１以上のエリアに人が存在することを示す情報を取得する１以上の取得器と、取得器で取得された情報から１以上のエリアのうちの所定のエリアに人が存在すると判断されるときに、所定のエリアに水素含有ガスを供給する水素含有ガス供給器から所定のエリアに水素含有ガスを供給させる制御器と、を備える。
【００１７】
また、本開示の一態様の水素ハウスは、上記の水素含有ガス供給システムを備える。
【００１８】
かかる構成によると、本態様の水素含有ガス供給システムおよび水素ハウスは、従来に比べ、水素の使用量の増加を抑制しながら水素の吸引効果を長期に亘り安定的に付与し得る。具体的には、取得器で取得された情報から１以上のエリアのうちの所定のエリアに人が存在すると判断されるときに、水素含有ガス供給器の動作を制御して水素含有ガスを所定のエリアに供給するので、建物内の所定のエリアに適時に水素含有ガスを供給することができる。よって、このような水素含有ガスの供給制御を行わない場合に比べて、水素の使用量の増加を抑制することができる。また、特許文献１に記載された発明に比べて、水素の吸引効果を長期に亘り安定的に付与することができる。
【００１９】
本開示の第２態様の水素含有ガス供給システムは、第１態様の水素含有ガス供給システムにおいて、取得器はエリアに設けられていてもよい。
【００２０】
上記の取得器が、例えば、人感センサである場合、建物内のエリアの適所に取得器を設けることで、人が建物内のエリアに入室したとき、取得器は、人の存在を検知した信号を取得することができる。
【００２１】
本開示の第３態様の水素含有ガス供給システムは、第１態様の水素含有ガス供給システムにおいて、制御器は、取得器が、情報端末より取得した情報から所定のエリアに人が存在すると判断されるときに、水素含有ガス供給器から所定のエリアに水素含有ガスを供給させてもよい。
【００２２】
上記の取得器が、例えば、外部の情報端末より人の存在を示す情報を受信する受信器である場合、取得器は、情報端末からの帰宅予定時刻などの所定のエリアに人が存在する予定情報を取得することができる。
【００２３】
本開示の第４態様の水素含有ガス供給システムは、第１態様または第２態様の水素含有ガス供給システムにおいて、１以上の水素含有ガス供給器が、複数のエリアのそれぞれに水素含有ガスを供給する複数の水素含有ガス供給器であり、１以上の取得器が、複数のエリアのそれぞれに設けられた複数の取得器であり、制御器は、複数の取得器のうちの所定の取得器が、所定のエリアに人が存在することを示す情報を取得すると、所定の取得器で取得された情報から所定のエリアに人が存在すると判断されるときに、所定のエリアに水素含有ガスを供給する水素含有ガス供給器から所定のエリアに水素含有ガスを供給させてもよい。
【００２４】
かかる構成によると、本態様の水素含有ガス供給システムは、取得器が複数のエリアのうちの人が存在するエリアを特定する情報を取得することができる。よって、このような情報に基づき、複数個の水素含有ガス供給器の中から水素含有ガス供給動作が必要な水素含有ガス供給器を適切に選択できるので、水素含有ガス量の増加を抑制することができる。
【００２５】
本開示の第５態様の水素含有ガス供給システムは、第１態様または第４態様の水素含有ガス供給システムにおいて、取得器は、所定のエリアに人が存在することを検知する第１検知器であり、制御器は、第１検知器で所定のエリアに人が存在することを検知すると、水素含有ガス供給器を動作させてもよい。
【００２６】
本開示の第６態様の水素含有ガス供給システムは、第１態様または第４態様の水素含有ガス供給システムにおいて、取得器が、所定のエリア内において人が存在する位置を示す情報を検知する第２検知器であり、制御器は、第２検知器で人が存在する位置を示す情報を検知すると、水素含有ガス供給器から上記の位置に向けて水素含有ガスを供給させてもよい。
【００２７】
かかる構成によると、本態様の水素含有ガス供給システムは、建物内のエリアの適所に第２検知器を設けることで、人がエリア内に入室したとき、第２検知器により、人が存在する位置を特定できる。よって、水素含有ガス供給器からエリア内の人が存在する位置に向けて水素含有ガスを効果的に供給することができる。
【００２８】
本開示の第７態様の水素含有ガス供給システムは、第１態様または第４態様の水素含有ガス供給システムにおいて、取得器は、所定のエリア内に人が存在する位置を検知する第２検知器であり、制御器は、第２検知器で検知された人が存在する位置に応じて、水素含有ガス供給器から供給する水素含有ガスの供給流量および供給流速の少なくともいずれか一方を制御してもよい。
【００２９】
かかる構成によると、本態様の水素含有ガス供給システムは、第２検知器で検知された人が存在する位置に応じて、水素含有ガス供給器からエリアに供給する水素含有ガスの供給流量および供給流速の少なくともいずれか一方を制御することで、エリア内の人が存在する位置に向けて効果的に水素含有ガスを供給することができる。
【００３０】
例えば、水素含有ガス供給器から遠隔した位置に人が存在する場合、水素含有ガス供給器から近接した位置に人が存在する場合に比べて水素含有ガスの供給流量および供給流速の少なくともいずれか一方を大きくするとよい。これにより、遠隔位置の人にも、水素含有ガスを効果的に供給することができる。
【００３１】
本開示の第８態様の水素含有ガス供給システムは、第１態様から第７態様のいずれか一つの水素含有ガス供給システムにおいて、取得器は、所定のエリア内において存在する人の生体情報を更に取得し、制御器は、取得器で取得された人の生体情報に基づき、水素含有ガス供給器から供給する水素含有ガスの供給流量および供給流速の少なくともいずれか一方を制御してもよい。
【００３２】
かかる構成によると、本態様の水素含有ガス供給システムは、取得器で取得された人の生体情報に基づき、水素含有ガス供給器からエリアに供給する水素含有ガスの供給流量および供給流速の少なくともいずれか一方を適切に制御できる。
【００３３】
例えば、生体情報としての体温が高い程、体内での活性酸素およびフリーラジカルの生成が多いと想定される。よって、この場合、水素含有ガス供給器からエリアに供給する水素含有ガスの供給流量および供給流速の少なくともいずれか一方を上げることで、水素の体内への取り込み量を多くできる。これにより、体内の活性酸素およびフリーラジカルに対する水素による還元作用を高めることができる。
【００３４】
体温が低い場合は、例えば、睡眠中の如く、活動量が少なく、体内での活性酸素およびフリーラジカルの生成が少ない状況が想定される。よって、この場合、水素含有ガス供給器からエリアに供給する水素含有ガスの供給量を減量することで、水素含有ガス量の増加を抑制することができる。
【００３５】
本開示の第９態様の水素含有ガス供給システムは、第１態様から第７態様のいずれか一つの水素含有ガス供給システムにおいて、水素含有ガスを生成する水素含有ガス生成器を備え、取得器は、所定のエリア内において存在する人の生体情報を更に取得し、制御器は、取得器で取得された人の生体情報に基づき、水素含有ガス生成器で生成される水素含有ガスの水素濃度を制御してもよい。
【００３６】
かかる構成によると、本態様の水素含有ガス供給システムは、取得器で取得された人の生体情報に基づき、水素含有ガス生成器で生成される水素含有ガスの水素濃度を適切に制御できる。
【００３７】
例えば、生体情報としての体温が高い程、体内での活性酸素およびフリーラジカルの生成が多いと想定される。よって、この場合、水素含有ガス供給器からエリアに供給する水素含有ガスの水素濃度を上げることで、水素の体内への取り込み量を多くできる。これにより、体内の活性酸素およびフリーラジカルに対する水素による還元作用を高めることができる。
【００３８】
体温が低い場合は、例えば、睡眠中の如く、活動量が少なく、体内での活性酸素およびフリーラジカルの生成が少ない状況が想定される。よって、この場合、水素含有ガス供給器からエリアに供給する水素含有ガスの水素濃度を下げることで、水素含有ガス中の水素量の増加を抑制することができる。
【００３９】
本開示の第１０態様の水素含有ガス供給システムは、第１態様から第８態様のいずれか一つの水素含有ガス供給システムにおいて、空気中の不純物を除去するフィルターと、水素とフィルターを通過した空気を混合させて水素含有ガスを生成する水素含有ガス生成器と、を備えてもよい。
【００４０】
かかる構成によると、本態様の水素含有ガス供給システムは、水素と混合するための空気中の不純物が適切に除去され得る。
【００４１】
本開示の第１１態様の水素含有ガス供給システムは、第１態様−第１０態様のいずれか一つの水素含有ガス供給システムにおいて、水素含有ガスに付臭する付臭器を備え、水素含有ガス供給器は、付臭器を通過した水素含有ガスを所定のエリアに供給してもよい。
【００４２】
かかる構成によると、本態様の水素含有ガス供給システムは、所定のエリア内に存在する人が、このエリア内に水素含有ガスが供給されていることを嗅覚により容易に知ることができる。
【００４３】
以下、添付図面を参照しつつ、実施形態の具体例について説明する。
【００４４】
以下で説明する具体例は、いずれも上記の各態様の一例を示すものである。よって、以下で示される形状、材料、構成要素、構成要素の配置位置および接続形態などは、請求項に記載されていない限り、上記の各態様を限定するものではない。また、以下の構成要素のうち、本態様の最上位概念を示す独立請求項に記載されていない構成要素については、任意の構成要素として説明される。また、図面において、同じ符号が付いたものは、説明を省略する場合がある。また、図面は理解しやすくするために、それぞれの構成要素を模式的に示したもので、形状および寸法比などについては正確な表示ではない場合がある。
【００４５】
動作においては、必要に応じて、各工程の順序などを変更できる。また、必要に応じて、他の公知の工程を追加できる。
【００４６】
（第１実施形態）
［装置構成］
図１および図２は、第１実施形態の水素含有ガス供給システムの一例を示す図である。図３は、第１実施形態の水素ハウスの一例を示す図である。
【００４７】
図１およぶ図２に示す例では、水素含有ガス供給システム１００は、水素含有ガス供給器２と、取得器３と、制御器５と、を備える。
【００４８】
水素含有ガス供給器２は、建物内のエリア４に水素含有ガスを供給する装置である。
【００４９】
なお、図１および図２では、建物内のエリア４は、一つしか示されていないが、建物内のエリア４が複数である場合は、エリア４のそれぞれに水素含有ガス供給器２が設けられ、エリア４のそれぞれに水素含有ガスが供給されていてもよい。建物内のエリア４が複数である場合の構成は実施例で説明する。
【００５０】
また、建物が、例えば、図３に示す如く、水素含有ガス供給システム１００を備える水素ハウス２００（水素住宅）である場合、エリア４を構成する水素ハウス２００の部屋には、例えば、廊下に通じる出入口扉（図示せず）などが設けられている。
【００５１】
水素含有ガス供給器２は、例えば、エリア４の壁面に設けられている。そして、水素含有ガス供給経路８を通過した水素含有ガスの圧力を利用して水素含有ガス供給器２からエリア４内に水素含有ガスが供給される。この場合、水素含有ガス供給器２は、エリア４へ供給する水素含有ガスの流量を調整する機器であり、昇圧器および流量調整弁により構成されるが、これらのいずれか一方により構成されてもよい。
【００５２】
例えば、水素含有ガス供給器２に接続する水素含有ガス供給経路８の上流端は、水素含有ガス生成器（図１および図２では図示せず）に接続されていてもよい。このとき、水素含有ガス生成器から水素含有ガス供給器２への水素含有ガスの供給圧力が低い場合は、上記の昇圧器を用いて、エリア４内に供給する水素含有ガスの流量を制御する構成を取ってもよい。昇圧器として、例えば、ファンなどを用いることができるが、これに限定されない。
【００５３】
なお、水素含有ガス中の水素以外の気体は、例えば、空気を挙げることができるが、これに限定されない。酸素ガスまたは窒素ガスと水素とを混合しても構わない。このように、水素含有ガス生成器が、空気により水素を希釈させることで水素含有ガスを生成する場合の詳細は第３実施形態で説明する。
【００５４】
また、例えば、水素含有ガス供給経路８の上流端は、水素含有ガスが高圧で充填された高圧タンク（図示せず）に接続されていてもよい。このとき、水素含有ガスの供給圧力が高い場合は、上記の流量調整弁を用いて、エリア４内に供給する水素含有ガスの流量を制御する構成を取ってもよい。流量調整弁として、例えば、電磁弁などを用いることができるが、これに限定されない。
【００５５】
取得器３は、エリア４に人が存在することを示す情報を取得する機器である。取得器３は、エリア４に人が存在することを示す情報を取得できれば、どのような構成であってもよい。
【００５６】
図１に示すように、取得器３Ａがエリア４に設けられてもよい。本例では、取得器３Ａは、エリア４を構成する部屋の天井に設けられている。なお、図１では、建物内のエリア４は、一つしか示されていないが、建物内のエリア４が複数である場合は、エリア４のそれぞれに、取得器３Ａが設けられていてもよい。建物内のエリア４が複数である場合の構成は実施例で説明する。
【００５７】
取得器３Ａは、エリア４に人が存在することを検知する検知器であってもよい。このような取得器３Ａとして、例えば、人感センサを挙げることができる。人感センサとして、例えば、赤外線センサを用いることができるが、これに限定されない。
【００５８】
ここで、取得器３Ａが、例えば、人感センサである場合、「エリア４に人が存在することを示す情報」は、エリア４において人の存在を検知した信号である。よって、建物内のエリア４の適所に取得器３Ａを設けることで、建物内のエリア４に人が入室したときは、取得器３Ａは、エリア４において人の存在を検知した信号を取得することができる。また、エリア４から人が退室したときは、取得器３Ａは、エリア４において人の不存在を検知した信号を取得することができる。
【００５９】
図２に示すように、取得器３Ｂがエリア４の外部に設けられてもよい。このような取得器３Ｂとして、例えば、図示しない外部の情報端末より人の存在を示す情報を受信する受信器を挙げることができる。この場合、「エリア４に人が存在することを示す情報」は、外部の情報端末から受信した帰宅予定時刻などの建物内のエリア４に人が存在する予定情報である。
【００６０】
制御器５は、取得器３で取得された情報からエリア４に人が存在すると判断されるときに、水素含有ガス供給器２からエリア４に水素含有ガスを供給させる。
【００６１】
例えば、取得器３Ａでエリア４に人が存在することを検知すると、制御器５は、水素含有ガス供給器２を動作させてもよい。
【００６２】
また、例えば、制御器５は、取得器３Ｂが、情報端末より取得した情報からエリア４に人が存在すると判断されるときに、水素含有ガス供給器２からエリア４に水素含有ガスを供給させてもよい。
【００６３】
制御器５は、制御機能を有するものであれば、どのような構成であってもよい。制御器５は、例えば、演算回路（図示せず）と、制御プログラムを記憶する記憶回路（図示せず）と、を備える。演算回路として、例えば、ＭＰＵ、ＣＰＵなどを挙げることができる。記憶回路として、例えば、メモリなどを挙げることができる。制御器５は、集中制御を行う単独の制御器で構成されていてもよいし、互いに協働して分散制御を行う複数の制御器で構成されていてもよい。
【００６４】
［動作］
図４は、第１実施形態の水素含有ガス供給システムの動作の一例を示すフローチャートである。以下の動作は、制御器５の演算回路が、記憶回路から制御プログラムにより行われても構わない。ただし、以下の動作を制御器５で行うことは、必ずしも必須ではない。操作者が、その一部または全部の動作を行っても構わない。
【００６５】
まず、取得器３が、エリア４に人が存在することを示す情報を取得することができるよう、取得器３を動作させる。なお、取得器３が、例えば、赤外線センサなどの人感センサであれば、センサの消費電力は微々たるものであるので、常時動作させても構わない。
【００６６】
この状態で、ステップＳ１では、取得器３で取得された情報からエリア４に人が存在するか否かが判定される。
【００６７】
ここで、取得器３が、例えば、エリア４に設けられた赤外線センサなどの人感センサであれば、ステップＳ１で、人感センサが、エリア４に入室した人の存在を検知したか否かが判定される。つまり、エリア４で人の存否を検知した信号が人感センサから制御器５に送信されることで、ステップＳ１の判定が行われる。
【００６８】
また、取得器３が、例えば、受信器であれば、ステップＳ１で、外部の情報端末から受信器で受信した帰宅予定時刻などのエリア４に人が存在する予定情報から、エリア４の人の存否が判定される。つまり、エリア４に人が存在する予定情報が受信器から制御器５に送信されることで、ステップＳ１の判定が行われる。
【００６９】
取得器３で取得された情報からエリア４に人が存在すると判定された場合（ステップＳ１で「Ｙｅｓ」の場合）、水素含有ガス供給器２からエリア４に水素含有ガスが供給される（ステップＳ２）。前回のサイクルで水素含有ガス供給器２の動作が停止している場合は、ステップＳ２では、水素含有ガス供給器２の動作が開始される。前回のサイクルで水素含有ガス供給器２が動作している場合は、ステップＳ２では、水素含有ガス供給器２は、そのままの状態が維持される。その後、所定のサイクルタイムで、ステップＳ１において、ステップＳ１以降の動作が繰り返される。
【００７０】
なお、上記の予定情報が帰宅予定時刻の場合、帰宅予定時刻に到達したとき、水素含有ガス供給器２からエリア４内に水素含有ガスの供給が開始されてもよいし、帰宅予定時刻よりも前に、水素含有ガス供給器２からエリア４内に水素含有ガスの供給が開始されてもよい。後者の場合、人がエリア４に入室したときに、エリア４内を適量の水素含有ガスで満たすことが可能であるので、水素の吸引効果を速やかに発揮させることができる。
【００７１】
一方、取得器３で取得された情報からエリア４に人が存在しないと判定された場合（ステップＳ１で「Ｎｏ」の場合）、水素含有ガス供給器２からエリア４への水素含有ガスの供給が停止される（ステップＳ３）。前回のサイクルで水素含有ガス供給器２の動作が停止している場合は、ステップＳ３では、水素含有ガス供給器２は、そのままの状態が維持される。前回のサイクルで水素含有ガス供給器２が動作している場合は、ステップＳ３では、水素含有ガス供給器２の動作が停止される。その後、所定のサイクルタイムで、ステップＳ１において、ステップＳ１以降の動作が繰り返される。
【００７２】
以上のとおり、本実施形態の水素含有ガス供給システム１００および水素ハウス２００は、従来に比べ、水素の使用量の増加を抑制しながら水素の吸引効果を長期に亘り安定的に付与し得る。
【００７３】
具体的には、取得器３で取得された情報からエリア４に人が存在すると判断されるときに、水素含有ガス供給器２の動作を制御して水素含有ガスをエリア４に供給するので、建物内のエリア４に適時に水素含有ガスを供給することができる。よって、このような水素含有ガスの供給制御を行わない場合に比べて、水素の使用量の増加を抑制することができる。また、特許文献１に記載された発明に比べて、水素の吸引効果を長期に亘り安定的に付与することができる。
【００７４】
また、取得器３で取得された情報からエリア４に人が存在しないと判断されるときに、水素含有ガス供給器２の動作を制御して水素含有ガスのエリア４への供給を停止することができる。よって、このような水素含有ガスの供給停止制御を行わない場合に比べて、水素の使用量の増加を抑制することができる。
【００７５】
（実施例）
［装置構成］
図５は、第１実施形態の実施例の水素含有ガス供給システムの一例を示す図である。
【００７６】
図５に示す例では、水素含有ガス供給システム１００は、水素含有ガス供給器２Ａ、２Ｂ、２Ｃ、２Ｄと、取得器３ＡＡ、３ＡＢ、３ＡＣ、３ＡＤと、制御器５と、を備える。
【００７７】
ここで、水素含有ガス供給器２Ａ、２Ｂ、２Ｃ、２Ｄが、複数のエリア４Ａ、４Ｂ、４Ｃ、４Ｄのそれぞれに水素含有ガスを供給する４個の水素含有ガス供給器である。
【００７８】
水素含有ガス供給器２Ａ、２Ｂ、２Ｃ、２Ｄは、以上の点以外は、第１実施形態の水素含有ガス供給器２と同様であるので詳細な説明は省略する。
【００７９】
また、取得器３ＡＡ、３ＡＢ、３ＡＣ、３ＡＤが、複数のエリア４Ａ、４Ｂ、４Ｃ、４Ｄのそれぞれに設けられた４個の取得器である。
【００８０】
取得器３ＡＡ、３ＡＢ、３ＡＣ、３ＡＤは、以上の点以外は、第１実施形態の取得器３Ａと同様であるので詳細な説明は省略する。
【００８１】
なお、建物が水素ハウス２００である場合、水素ハウス２００内における寝室などの各部屋が、エリア４Ａ、４Ｂ、４Ｃ、４Ｄのそれぞれを構成する。この場合、エリア４Ａ、４Ｂ、４Ｃ、４Ｄのそれぞれの間には、図示しない廊下および廊下に通じる出入口扉が設けられている。
【００８２】
以上の水素含有ガス供給器２Ａ、２Ｂ、２Ｃ、２Ｄ、エリア４Ａ、４Ｂ、４Ｃ、４Ｄ、および、取得器３ＡＡ、３ＡＢ、３ＡＣ、３ＡＤの個数は例示であって、本例に限定されない。
【００８３】
制御器５は、取得器３ＡＡ、３ＡＢ、３ＡＣ、３ＡＤのうちの所定の取得器が、所定のエリアに人が存在することを示す情報を取得すると、この所定の取得器で取得された上記の情報から所定のエリアに人が存在すると判断されるときに、この所定のエリアに水素含有ガスを供給する水素含有ガス供給器から所定のエリアに水素含有ガスを供給させる。
【００８４】
制御器５は、以上の点以外は、第１実施形態の制御器５と同様であってもよい。
【００８５】
［動作］
図６は、第１実施形態の実施例の水素含有ガス供給システムの動作の一例を示すフローチャートである。以下の動作は、制御器５の演算回路が、記憶回路から制御プログラムにより行われても構わない。ただし、以下の動作を制御器５で行うことは、必ずしも必須ではない。操作者が、その一部または全部の動作を行っても構わない。図６のステップＳ１は、図４のステップＳ１と同様であるので詳細な説明を省略する。
【００８６】
取得器３ＡＡ、３ＡＢ、３ＡＣ、３ＡＤで取得された情報からエリア４Ａ、４Ｂ、４Ｃ、４Ｄのいずれかに人が存在すると判定された場合（ステップＳ１で「Ｙｅｓ」の場合）、人が存在するエリアが特定される（ステップＳ４）。なお、人が存在するエリアが複数であれば、複数のエリアが特定されてもよい。
【００８７】
次に、ステップＳ５では、ステップＳ４で特定したエリアに対応する水素含有ガス供給器が選択される。
【００８８】
そして、ステップＳ６では、ステップＳ５で選択した水素含有ガス供給器からエリアに水素含有ガスが供給されるとともに、ステップＳ５で選択しなかった水素含有ガス供給器からエリアへの水素含有ガスの供給が停止される。その後、所定のサイクルタイムで、ステップＳ１において、ステップＳ１以降の動作が繰り返される。
【００８９】
例えば、取得器３ＡＡ、３ＡＤで取得された情報からエリア４Ａ、４Ｄに人が存在すると判定された場合、ステップＳ６で、水素含有ガス供給器２Ａ、２Ｄからエリア４Ａ、４Ｄに水素含有ガスが供給されるとともに、水素含有ガス供給器２Ｂ、２Ｃからエリア４Ｂ、４Ｃへの水素含有ガスの供給が停止される。
【００９０】
また、例えば、前回のサイクルで、取得器３ＡＡで取得された情報からエリア４Ａに人が存在すると判定された場合において、エリア４Ａからエリア４Ｂに人が移動すると、水素含有ガス供給器２Ｂからエリア４Ｂに水素含有ガスが供給されるとともに、水素含有ガス供給器２Ａからエリア４Ａへの水素含有ガスの供給が停止される。
【００９１】
一方、取得器３ＡＡ、３ＡＢ、３ＡＣ、３ＡＤで取得された情報からエリア４Ａ、４Ｂ、４Ｃ、４Ｄのいずれも人が存在しないと判定された場合（ステップＳ１で「Ｎｏ」の場合）、全ての水素含有ガス供給器２Ａ、２Ｂ、２Ｃ、２Ｄから全てのエリア４Ａ、４Ｂ、４Ｃ、４Ｄへの水素含有ガスの供給が停止される（ステップＳ７）。その後、所定のサイクルタイムで、ステップＳ１において、ステップＳ１以降の動作が繰り返される。
【００９２】
以上のとおり、本実施例の水素含有ガス供給システム１００は、取得器３ＡＡ、３ＡＢ、３ＡＣ、３ＡＤが、エリア４Ａ、４Ｂ、４Ｃ、４Ｄのうちの人が存在するエリアを特定する情報を取得することができる。よって、このような情報に基づき、水素含有ガス供給器２Ａ、２Ｂ、２Ｃ、２Ｄの中から水素含有ガス供給動作が必要な水素含有ガス供給器を適切に選択できるので、水素含有ガス量の増加を抑制することができる。
【００９３】
本実施例の水素含有ガス供給システム１００は、上記特徴以外は、第１実施形態の水素含有ガス供給システム１００と同様であってもよい。
【００９４】
（第２実施形態）
［装置構成］
図７は、第２実施形態の水素含有ガス供給システムの一例を示す図である。なお、図７において、「上」、「下」、「右」および「左」が同図の如く取られている。
【００９５】
図７に示す例では、水素含有ガス供給システム１００は、水素含有ガス供給器２Ｅ、２Ｆ、２Ｇ、２Ｈと、取得器３ＡＥと、制御器５と、を備える。
【００９６】
本例では、水素含有ガス供給器２Ｅは、エリア４の左壁面の上方寄りに設けられている。水素含有ガス供給器２Ｆは、エリア４の上壁面の左寄りに設けられている。水素含有ガス供給器２Ｇは、エリア４の上壁面の右寄りに設けられている。水素含有ガス供給器２Ｈは、エリア４の右壁面の上方寄りに設けられている。
【００９７】
水素含有ガス供給器２Ｅ、２Ｆ、２Ｇ、２Ｈは、以上の点以外は、第１実施形態の水素含有ガス供給器２と同様であるので詳細な説明は省略する。
【００９８】
なお、水素含有ガス供給器２Ｅ、２Ｆ、２Ｇ、２Ｈの配置位置および個数は例示であって、本例に限定されない。
【００９９】
取得器３ＡＥは、エリア４内において人が存在する位置を示す情報を検知する検知器である。このような取得器３ＡＥとして、例えば、赤外線センサを用いることができる。
【０１００】
なお、取得器３ＡＥは、以上の点以外は、第１実施形態の取得器３Ａであってもよい。
【０１０１】
また、図示を省略するが、取得器３ＡＥに代えて、エリア４内において人が情報端末（例えば、スマートフォン）を常時携帯しているのであれば、このような情報携帯端末の位置情報からエリア４内において人が存在する位置を検知しても構わない。
【０１０２】
制御器５は、取得器３ＡＥで人が存在する位置を示す情報を検知すると、水素含有ガス供給器から上記の位置に向けて水素含有ガスを供給させる。
【０１０３】
制御器５は、以上の点以外は、第１実施形態の制御器５と同様であってもよい。
【０１０４】
［動作］
図８は、第２実施形態の水素含有ガス供給システムの動作の一例を示すフローチャートである。以下の動作は、制御器５の演算回路が、記憶回路から制御プログラムにより行われても構わない。ただし、以下の動作を制御器５で行うことは、必ずしも必須ではない。操作者が、その一部または全部の動作を行っても構わない。図８のステップＳ１は、図４のステップＳ１と同様であるので詳細な説明を省略する。
【０１０５】
取得器３ＡＥで取得された情報からエリア４に人が存在すると判定された場合（ステップＳ１で「Ｙｅｓ」の場合）、取得器３ＡＥで取得された情報から人が存在する位置が特定される（ステップＳ８）。
【０１０６】
次に、ステップＳ９では、ステップＳ８で特定した人が存在する位置をもとに、水素含有ガス供給器２Ｅ、２Ｆ、２Ｇ、２Ｈの中から水素含有ガス供給動作が必要な水素含有ガス供給器が適切に選択される。
【０１０７】
そして、ステップＳ１０では、ステップＳ９で選択した水素含有ガス供給器からエリア４に水素含有ガスが供給される。その後、所定のサイクルタイムで、ステップＳ１において、ステップＳ１以降の動作が繰り返される。
【０１０８】
例えば、図７のエリア４の中央付近に人が存在する場合、ステップＳ９で、水素含有ガス供給器２Ｆおよび水素含有ガス供給器２Ｇが選択され、ステップＳ１０で、水素含有ガス供給器２Ｆおよび水素含有ガス供給器２Ｇからエリア４に水素含有ガスが供給される。
【０１０９】
また、例えば、図７のエリア４の右寄りに人が存在する場合、ステップＳ９で、水素含有ガス供給器２Ｇおよび水素含有ガス供給器２Ｈが選択され、ステップＳ１０で、水素含有ガス供給器２Ｇおよび水素含有ガス供給器２Ｈからエリア４に水素含有ガスが供給される。
【０１１０】
また、例えば、図７のエリア４の左寄りに人が存在する場合、ステップＳ９で、水素含有ガス供給器２Ｅおよび水素含有ガス供給器２Ｆが選択され、ステップＳ１０で、水素含有ガス供給器２Ｅおよび水素含有ガス供給器２Ｆからエリア４に水素含有ガスが供給される。
【０１１１】
一方、取得器３ＡＥで取得された情報からエリア４に人が存在しないと判定された場合（ステップＳ１で「Ｎｏ」の場合）、全ての水素含有ガス供給器２Ｅ、２Ｆ、２Ｇ、２Ｈからエリア４への水素含有ガスの供給が停止される（ステップＳ１１）。その後、所定のサイクルタイムで、ステップＳ１において、ステップＳ１以降の動作が繰り返される。
【０１１２】
以上のとおり、本実施形態の水素含有ガス供給システム１００は、建物内のエリア４の適所に取得器３ＡＥを設けることで、人がエリア４内に入室したとき、取得器３ＡＥにより、人が存在する位置を特定できる。よって、水素含有ガス供給器からエリア４内の人が存在する位置に向けて水素含有ガスを効果的に供給することができる。
【０１１３】
本実施形態の水素含有ガス供給システム１００は、上記特徴以外は、第１実施形態または第１実施形態の実施例の水素含有ガス供給システム１００と同様であってもよい。
【０１１４】
（第１変形例）
第２実施形態の水素含有ガス供給システム１００では、人が存在する位置をもとに、水素含有ガス供給器２Ｅ、２Ｆ、２Ｇ、２Ｈの中から水素含有ガス供給器が適切に選択されることで、エリア４内の人が存在する位置に向けて水素含有ガスを効果的に供給する方式を説明したが、これに限定されない。
【０１１５】
本変形例の水素含有ガス供給システム１００では、制御器５は、取得器３ＡＥで検知された人が存在する位置に応じて、水素含有ガス供給器からエリア４に供給する水素含有ガスの供給流量および供給流速の少なくともいずれか一方を制御する。例えば、水素含有ガス供給器に設けられた図示しない昇圧器（例えば、ファン）の動作を制御することで、水素含有ガス供給器からエリア４に供給する水素含有ガスの供給量が制御されてもよい。
【０１１６】
これにより、本変形例の水素含有ガス供給システム１００は、取得器３ＡＥで検知された人が存在する位置に応じて、水素含有ガス供給器からエリア４に供給する水素含有ガスの供給流量および供給流速の少なくともいずれか一方を制御することで、エリア４内の人が存在する位置に向けて効果的に水素含有ガスを供給することができる。
【０１１７】
例えば、水素含有ガス供給器から遠隔した位置に人が存在する場合、水素含有ガス供給器から近接した位置に人が存在する場合に比べて水素含有ガスの供給流量および供給流速の少なくともいずれか一方を大きくするとよい。これにより、遠隔位置の人にも、水素含有ガスを効果的に供給することができる。
【０１１８】
本変形例の水素含有ガス供給システム１００は、上記特徴以外は、第１実施形態または第１実施形態の実施例の水素含有ガス供給システム１００と同様であってもよい。つまり、本変形例の水素含有ガス供給システム１００は、図７の水素含有ガス供給器２Ｅ、２Ｆ、２Ｇ、２Ｈの構成に限定されず、図１の如く、エリア４に一つの水素含有ガス供給器２が設けられる構成であってもよい。
【０１１９】
（第２変形例）
第２実施形態の水素含有ガス供給システム１００では、人が存在する位置をもとに、水素含有ガス供給器２Ｅ、２Ｆ、２Ｇ、２Ｈの中から水素含有ガス供給器が適切に選択されることで、エリア４内の人が存在する位置に向けて水素含有ガスを効果的に供給する方式を説明したが、これに限定されない。
【０１２０】
本変形例の水素含有ガス供給システム１００では、制御器５は、水素含有ガス供給器に設けられるルーバー構成などの水素含有ガス噴出方向の可変構造（図示せず）を用いて、取得器３ＡＥで検知された人が存在する位置に応じて、エリア４に対する水素含有ガス噴出方向を所望の方向に変更する。
【０１２１】
これにより、本変形例の水素含有ガス供給システム１００は、取得器３ＡＥで検知された人が存在する位置に応じて、水素含有ガス噴出方向を適切に制御することで、エリア４内の人が存在する位置に向けて効果的に水素含有ガスを供給することができる。
【０１２２】
本変形例の水素含有ガス供給システム１００は、上記特徴以外は、第１実施形態または第１実施形態の実施例の水素含有ガス供給システム１００と同様であってもよい。つまり、本変形例の水素含有ガス供給システム１００は、図７の水素含有ガス供給器２Ｅ、２Ｆ、２Ｇ、２Ｈの構成に限定されず、図１の如く、エリア４に一つの水素含有ガス供給器２が設けられる構成であってもよい。
【０１２３】
（第３実施形態）
［装置構成］
図９は、第３実施形態の水素含有ガス供給システムの一例を示す図である。
【０１２４】
図９に示す例では、水素含有ガス供給システム１００は、水素含有ガス生成器１と、水素含有ガス供給器２と、取得器１３と、制御器５と、を備える。水素含有ガス供給器２は、第１実施形態と同様であるので説明を省略する。
【０１２５】
水素含有ガス生成器１は水素含有ガスを生成する装置である。水素含有ガス生成器１は水素含有ガスを生成することができれば、どのような構成であってもよい。
【０１２６】
例えば、図９の水素含有ガス生成器１には、大気から空気を取り込むための空気供給経路６と、水素源から水素を取り込むための水素供給経路９と、が接続されてる。すると、水素含有ガス生成器１は、水素供給経路９からの水素と空気供給経路６からの空気とが所定の混合比で混合することで所望の水素濃度の水素含有ガスを生成することができる。水素含有ガス生成器１で生成された水素含有ガスは、水素含有ガス供給経路８を通じて水素含有ガス供給器２に供給される。
【０１２７】
なお、水素含有ガス生成器１は、水素含有ガスの供給量を安定化させるためのバッファータンク（図示せず）を備えてもよい。上記の水素源として、例えば、水の電解装置などを挙げることができるが、これに限定されない。また、上記のとおり、水素含有ガス生成器１では、空気に代えて、酸素ガスまたは窒素ガスと水素とが混合されてもよい。
【０１２８】
取得器１３は、エリア４内において存在する人の生体情報を更に取得する機器である。ここで、人の生体情報として、例えば、体温を挙げることができる。
【０１２９】
このような取得器１３として、例えば、赤外線センサを用いることができる。つまり、赤外線センサは、エリア４内における人の存否の他に、人の生体情報としての体温を検知することができる。
【０１３０】
取得器１３は、以上の点以外は、第１実施形態の取得器３Ａと同様であってもよい。
【０１３１】
制御器５は、取得器１３で取得された人の生体情報に基づき、水素含有ガス生成器１で生成される水素含有ガスの水素濃度を制御する。例えば、空気供給経路６および水素供給経路９のそれぞれに、空気流量を調整する流量調整器（図示せず）および水素流量を調整する流量調整器（図示せず）がそれぞれ設けられており、これらの流量調整器の動作を制御することで、水素含有ガス生成器１で生成される水素含有ガスの水素濃度が制御されてもよい。
【０１３２】
なお、水素含有ガス供給経路８を流れる水素含有ガス中の水素濃度は、水素含有ガス供給システム１００の安定的な運転を考慮すると、水素の可燃限界となる約４％を下回る値に設定する方が望ましいが、状況によって、水素含有ガス供給システム１００の運転状況および設置環境に応じて、４％以上に設定することもできる。例えば、速やかにエリア内の水素濃度を高めたい場合、水素ガス供給機２出口の水素含有ガス中の水素濃度を約４％以上に設定することができる。この場合、水素含有ガス中の水素濃度が仮に約４％以上であっても、水素含有ガス供給器２からエリア４に流入した水素は、エリア４内に存在する空気により速やかに希釈されるので、水素含有ガス供給システム１００の安定的な運転に支障を生じない場合がある。
【０１３３】
制御器５は、以上の点以外は、第１実施形態の制御器５と同様であってもよい。
【０１３４】
［動作］
図１０は、第３実施形態の水素含有ガス供給システムの動作の一例を示すフローチャートである。以下の動作は、制御器５の演算回路が、記憶回路から制御プログラムにより行われても構わない。ただし、以下の動作を制御器５で行うことは、必ずしも必須ではない。操作者が、その一部または全部の動作を行っても構わない。
【０１３５】
図１０のステップＳ１、ステップＳ２およびステップＳ３は、図４のステップＳ１、ステップＳ２およびステップＳ３と同様であるので詳細な説明を省略する。
【０１３６】
取得器１３で取得された情報からエリア４に人が存在すると判定された場合（ステップＳ１で「Ｙｅｓ」の場合）、取得器１３で人の生体情報（例えば、体温）が更に取得される（ステップＳ１２）。
【０１３７】
次に、ステップＳ１３では、ステップＳ１２で取得された生体情報に基づき、水素と空気との混合比が所定の値となるように、水素含有ガス生成器１で生成される水素含有ガスの水素濃度が制御される。そして、ステップＳ２で、水素含有ガス供給器２からエリア４に水素含有ガスが供給される。
【０１３８】
一方、取得器３で取得された情報からエリア４に人が存在しないと判定された場合（ステップＳ１で「Ｎｏ」の場合）、水素含有ガス供給器２からエリア４への水素含有ガスの供給が停止される（ステップＳ３）。
【０１３９】
以上のとおり、本実施形態の水素含有ガス供給システム１００は、取得器１３で取得された人の生体情報に基づき、水素含有ガス供給器２からエリア４に供給する水素含有ガスの水素濃度を適切に制御できる。
【０１４０】
例えば、生体情報としての体温が高い程、体内での活性酸素およびフリーラジカルの生成が多いと想定される。よって、この場合、水素含有ガス供給器２からエリア４に供給する水素含有ガスの水素濃度を上げることで、水素の体内への取り込み量を多くできる。これにより、体内の活性酸素およびフリーラジカルに対する水素による還元作用を高めることができる。
【０１４１】
体温が低い場合は、例えば、睡眠中の如く、活動量が少なく、体内での活性酸素およびフリーラジカルの生成が少ない状況が想定される。よって、この場合、水素含有ガス供給器２からエリア４に供給する水素含有ガスの水素濃度を下げることで、水素含有ガス中の水素量の増加を抑制することができる。
【０１４２】
本実施形態の水素含有ガス供給システム１００は、上記特徴以外は、第１実施形態、第１実施形態の実施例、第２実施形態および第２実施形態の第１変形例−第２変形例のいずれかの水素含有ガス供給システム１００と同様であってもよい。つまり、図９では、図１の水素含有ガス供給システム１００が、水素含有ガス生成器１を備えているが、図２、図５および図７の水素含有ガス供給システム１００が、水素含有ガス生成器１を備えてもよい。
【０１４３】
（変形例）
第３実施形態の水素含有ガス供給システム１００では、取得器１３で取得された人の生体情報に基づき、水素含有ガス供給器２からエリア４に供給する水素含有ガスの水素濃度を適切に制御することを説明したが、これに限定されない。
【０１４４】
本変形例の水素含有ガス供給システム１００では、制御器５は、取得器１３で取得された人の生体情報に基づき、水素含有ガス供給器２からエリア４に供給する水素含有ガスの供給流量および供給流速の少なくともいずれか一方を制御する。例えば、水素含有ガス供給器２に設けられた図示しない昇圧器（例えば、ファン）の動作を制御することで、水素含有ガス供給器２からエリア４に供給する水素含有ガスの供給量が制御されてもよい。
【０１４５】
以上のとおり、本変形例の水素含有ガス供給システム１００は、取得器１３で取得された人の生体情報に基づき、水素含有ガス供給器２からエリア４に供給する水素含有ガスの供給流量および供給流速の少なくともいずれか一方を適切に制御できる。
【０１４６】
例えば、生体情報としての体温が高い程、体内での活性酸素およびフリーラジカルの生成が多いと想定される。よって、この場合、水素含有ガス供給器２からエリア４に供給する水素含有ガスの供給流量および供給流速の少なくともいずれか一方を上げることで、水素の体内への取り込み量を多くできる。これにより、体内の活性酸素およびフリーラジカルに対する水素による還元作用を高めることができる。
【０１４７】
体温が低い場合は、例えば、睡眠中の如く、活動量が少なく、体内での活性酸素およびフリーラジカルの生成が少ない状況が想定される。よって、この場合、水素含有ガス供給器２からエリア４に供給する水素含有ガスの供給量を減量することで、水素含有ガス量の増加を抑制することができる。
【０１４８】
本変形例の水素含有ガス供給システム１００は、上記特徴以外は、第１実施形態、第１実施形態の実施例、第２実施形態および第２実施形態の第１変形例−第２変形例のいずれかの水素含有ガス供給システム１００と同様であってもよい。つまり、本変形例の水素含有ガス供給システム１００は、必ずしも、図９の水素含有ガス生成器１を必要としない。
【０１４９】
（第４実施形態）
図１１は、第４実施形態の水素含有ガス供給システムの一例を示す図である。
【０１５０】
図１１に示す例では、水素含有ガス供給システム１００は、水素含有ガス生成器１と、水素含有ガス供給器２と、取得器３と、制御器５と、フィルター７と、を備える。水素含有ガス供給器２、取得器３および制御器５は、第１実施形態と同様であるので説明を省略する。また、水素含有ガス生成器１は、以下の点以外は、第３実施形態の水素含有ガス生成器１と同様であってもよい。
【０１５１】
フィルター７は、空気中の不純物を除去する部材である。具体的には、水素含有ガス生成器１に接続する空気供給経路６上にフィルター７が設けられ、空気供給経路６を流れる空気中の粉塵などの不純物がフィルター７で除去される。
【０１５２】
水素含有ガス生成器１は、水素とフィルター７を通過した空気を混合させて水素含有ガスを生成する。つまり、水素含有ガス生成器１は、水素供給経路９からの水素とフィルター７からの空気とが所定の混合比で混合することで所望の水素濃度の水素含有ガスを生成することができる。
【０１５３】
以上により、本実施形態の水素含有ガス供給システム１００は、水素と混合するための空気中の不純物が適切に除去され得る。
【０１５４】
本実施形態の水素含有ガス供給システム１００は、上記特徴以外は、第１実施形態、第１実施形態の実施例、第２実施形態および第２実施形態の第１変形例−第２変形例、第３実施形態および第３実施形態の変形例のいずれかの水素含有ガス供給システム１００と同様であってもよい。つまり、図１１では、図１の水素含有ガス供給システム１００が、フィルター７および水素含有ガス生成器１を備えているが、図２、図５および図７の水素含有ガス供給システム１００が、フィルター７および水素含有ガス生成器１を備えてもよいし、図９の水素含有ガス供給システム１００が、フィルター７を備えてもよい。
【０１５５】
［第５実施形態］
図１２は、第５実施形態の水素含有ガス供給システムの一例を示す図である。
【０１５６】
図１２に示す例では、水素含有ガス供給システム１００は、水素含有ガス供給器２と、取得器３と、制御器５と、付臭器１１と、を備える。取得器３および制御器５は、第１実施形態と同様であるので説明を省略する。また、水素含有ガス供給器２は、以下の点以外は、第１実施形態の水素含有ガス供給器２と同様であってもよい。
【０１５７】
付臭器１１は、水素含有ガスに付臭する装置である。また、水素含有ガス供給器２は、付臭器１１を通過した水素含有ガスをエリア４に供給する装置である。具体的には、水素含有ガス供給器２に接続する水素含有ガス供給経路８上に付臭器１１が設けられ、水素含有ガス供給経路８からエリア４に供給する無臭の水素含有ガスに臭いが付けられる。
【０１５８】
以上により、本実施形態の水素含有ガス供給システム１００は、エリア４内に存在する人が、このエリア４内に水素含有ガスが供給されていることを嗅覚により容易に知ることができる。
【０１５９】
本実施形態の水素含有ガス供給システム１００は、上記特徴以外は、第１実施形態、第１実施形態の実施例、第２実施形態および第２実施形態の第１変形例−第２変形例、第３実施形態、第３実施形態の変形例および第４実施形態のいずれかの水素含有ガス供給システム１００と同様であってもよい。つまり、図１２では、図１の水素含有ガス供給システム１００が、付臭器１１を備えているが、図２、図５、図７、図９および図１１の水素含有ガス供給システム１００が、付臭器１１を備えてもよい。
【０１６０】
なお、第１実施形態、第１実施形態の実施例、第２実施形態、第２実施形態の第１変形例−第２変形例、第３実施形態、第３実施形態の変形例、第４実施形態および第５実施形態は、互いに相手を排除しない限り、互いに組み合わせても構わない。
【０１６１】
また、上記説明から、当業者にとっては、本開示の多くの改良および他の実施形態が明らかである。従って、上記説明は、例示としてのみ解釈されるべきであり、本開示を実行する最良の態様を当業者に教示する目的で提供されたものである。本開示の精神を逸脱することなく、その構造および／または機能の詳細を実質的に変更できる。
【産業上の利用可能性】
【０１６２】
本開示の一態様は、従来に比べ、水素の使用量の増加を抑制しながら水素の吸引効果を長期に亘り安定的に付与し得る水素含有ガス供給システムに利用できる。また、本開示の一態様は、このような水素含有ガス供給システムを備える水素ハウスにも利用できる。
【符号の説明】
【０１６３】
１      ：水素含有ガス生成器
２      ：水素含有ガス供給器
２Ａ    ：水素含有ガス供給器
２Ｂ    ：水素含有ガス供給器
２Ｃ    ：水素含有ガス供給器
２Ｄ    ：水素含有ガス供給器
２Ｅ    ：水素含有ガス供給器
２Ｆ    ：水素含有ガス供給器
２Ｇ    ：水素含有ガス供給器
２Ｈ    ：水素含有ガス供給器
３      ：取得器
３Ａ    ：取得器
３ＡＡ  ：取得器
３ＡＢ  ：取得器
３ＡＣ  ：取得器
３ＡＤ  ：取得器
３ＡＥ  ：取得器
３Ｂ    ：取得器
４      ：エリア
４Ａ    ：エリア
４Ｂ    ：エリア
４Ｃ    ：エリア
４Ｄ    ：エリア
５      ：制御器
６      ：空気供給経路
７      ：フィルター
８      ：水素含有ガス供給経路
９      ：水素供給経路
１１    ：付臭器
１３    ：取得器
１００  ：水素含有ガス供給システム
２００  ：水素ハウス
【図１】
2019064893.tif 000003
【図２】
2019064893.tif 000004
【図３】
2019064893.tif 000005
【図４】
2019064893.tif 000006
【図５】
2019064893.tif 000007
【図６】
2019064893.tif 000008
【図７】
2019064893.tif 000009
【図８】
2019064893.tif 000010
【図９】
2019064893.tif 000011
【図１０】
2019064893.tif 000012
【図１１】
2019064893.tif 000013
【図１２】
2019064893.tif 000014
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
建物内の１以上のエリアに水素含有ガスを供給する１以上の水素含有ガス供給器と、
前記１以上のエリアに人が存在することを示す情報を取得する１以上の取得器と、
前記取得器で取得された前記情報から前記１以上のエリアのうちの所定のエリアに人が存在すると判断されるときに、前記所定のエリアに水素含有ガスを供給する水素含有ガス供給器から前記所定のエリアに水素含有ガスを供給させる制御器と、
前記水素含有ガスを生成する水素含有ガス生成器とを備え、
前記取得器は、前記所定のエリア内において存在する人の生体情報である体温情報を更に取得し、
前記制御器は、
前記取得器で取得された人の生体情報である体温情報を基づき、前記水素含有ガス生成器で生成される前記水素含有ガスの水素濃度を制御する
水素含有ガス供給システム。
【請求項２】
前記取得器は前記エリアに設けられている請求項１に記載の水素含有ガス供給システム。
【請求項３】
前記制御器は、
前記取得器が、情報端末より取得した前記情報から前記所定のエリアに人が存在すると判断されるときに、前記水素含有ガス供給器から前記所定のエリアに水素含有ガスを供給させる請求項１に記載の水素含有ガス供給システム。
【請求項４】
前記１以上の水素含有ガス供給器が、複数のエリアのそれぞれに水素含有ガスを供給する複数の水素含有ガス供給器であり、
前記１以上の取得器が、前記複数のエリアのそれぞれに設けられた複数の取得器であり、
前記制御器は、
前記複数の取得器のうちの所定の取得器が、前記所定のエリアに人が存在することを示す情報を取得すると、前記所定の取得器で取得された前記情報から前記所定のエリアに人が存在すると判断されるときに、前記所定のエリアに水素含有ガスを供給する水素含有ガス供給器から前記所定のエリアに水素含有ガスを供給させる請求項１または２に記載の水素含有ガス供給システム。
【請求項５】
前記取得器は、前記所定のエリアに人が存在することを検知する第１検知器であり、
前記制御器は、前記第１検知器で前記所定のエリアに人が存在することを検知すると、
前記水素含有ガス供給器を動作させる請求項１または４に記載の水素含有ガス供給システム。
【請求項６】
前記取得器が、前記所定のエリア内において人が存在する位置を示す情報を検知する第２検知器であり、
前記制御器は、前記第２検知器で人が存在する位置を示す情報を検知すると、前記水素含有ガス供給器から前記位置に向けて水素含有ガスを供給させる請求項１または４に記載の水素含有ガス供給システム。
【請求項７】
前記取得器は、前記所定のエリア内に人が存在する位置を検知する第２検知器であり、
前記制御器は、
前記第２検知器で検知された人が存在する位置に応じて、前記水素含有ガス供給器から供給する水素含有ガスの供給流量および供給流速の少なくともいずれか一方を制御する請求項１または４に記載の水素含有ガス供給システム。
【請求項８】
前記取得器は、前記所定のエリア内において存在する人の生体情報を更に取得し、
前記制御器は、
前記取得器で取得された人の生体情報に基づき、前記水素含有ガス供給器から供給する前記水素含有ガスの供給流量および供給流速の少なくともいずれか一方を制御する請求項１−７のいずれか１項に記載の水素含有ガス供給システム。
【請求項９】
（削除）
【請求項１０】
空気中の不純物を除去するフィルターと、
水素と前記フィルターを通過した空気を混合させて前記水素含有ガスを生成する水素含有ガス生成器と、を備える請求項１−８のいずれか１項に記載の水素含有ガス供給システム。
【請求項１１】
水素含有ガスに付臭する付臭器を備え、
前記水素含有ガス供給器は、前記付臭器を通過した水素含有ガスを前記所定のエリアに供給する請求項１−８、１０のいずれか１項に記載の水素含有ガス供給システム。
【請求項１２】
請求項１−８，１０、１１のいずれか１項に記載の水素含有ガス供給システムを備える水素ハウス。
【請求項１３】
前記制御器は、
前記取得器で取得した生体情報としての体温が高い程、前記水素含有ガス供給器からエリアに供給する水素含有ガスの水素濃度を上げる、および／または前記水素含有ガス供給器からエリアに供給する水素含有ガスの供給流量および供給流速の少なくともいずれか一方の制御を行う請求項１に記載の水素含有ガス供給システム。
【請求項１４】
前記制御器は、
前記取得器で取得した生体情報としての体温が低い場合は、前記水素含有ガス供給器２からエリアに供給する水素含有ガスの水素濃度を下げる、および／または前記水素含有ガス供給器からエリアに供給する水素含有ガスの供給量を減量する少なくともいずれか一方の制御を行う請求項１または１３に記載の水素含有ガス供給システム。
【国際調査報告】
2019064893.tif 000015
2019064893.tif 000016
2019064893.tif 000017
2019064893.tif 000018